(57)【要約】【課題】  ＢＤとＨＤ ＤＶＤの互換が可能な光ピックアップにおいて、ＢＤとＨＤ ＤＶＤ共にトラッキング誤差信号検出方式としてＤＰＰ方式を用いる場合、ＢＤとＨＤ ＤＶＤでは互いに光ディスクの案内溝ピッチが異なるので、３ビーム生成用の回折格子を両者で共有した場合、共にスポット間隔を案内溝ピッチの２分の１に合わせる事は困難である。【解決手段】  ＢＤ−Ｒ／ＲＥ上における３ビームのスポット間隔Ｓ１をＨＤ ＤＶＤ−Ｒ／ＲＷ上における３ビームのスポット間隔Ｓ２よりも小さくする。またはＢＤ光学系の横倍率Ｍ１をＨＤ ＤＶＤ光学系の横倍率Ｍ２よりも大きくする。またＢＤ−Ｒ／ＲＥの案内溝ピッチをＴ１、ＨＤ ＤＶＤ−Ｒ／ＲＷの案内溝ピッチをＴ２とした場合、数１ならびに数２を満足するように設定する。【選択図】図１
2008065920.tif 000002
【特許請求の範囲】
【請求項１】
半導体レーザと、
カバーレイヤー厚さ０．１ｍｍの第１の光ディスクに前記半導体レーザ光を集光する第１の対物レンズと、
カバーレイヤー厚さ０．６ｍｍの第２の光ディスクに前記半導体レーザ光を集光する第２の対物レンズと、
前記半導体レーザから出射した光ビームを少なくとも３本の光ビームに回折させる回折格子と、
前記光ビームを前記第１の対物レンズに向かう第１の光ビームと前記第２の対物レンズに向かう第２の光ビームとに分岐するビームスプリッタと、
前記第１の光ディスクを反射した前記第１の光ビームならびに前記第２の光ディスクを反射した前記第２の光ビームを受光する光検出器と、
を備え、
前記回折格子によって生成された前記３本の光ビームが前記第１の光ディスクに集光した際の前記第１の光ディスク上における０次光と１次光のスポット間隔をＳ１、前記第２の光ディスクに集光した際の前記第２の光ディスク上における０次光と１次光のスポット間隔をＳ２、前記第１の光ディスクの案内溝ピッチをＴ１、前記第２の光ディスクの案内溝ピッチをＴ２とした場合、
【数１】
2008065920.tif 000008
を満たすことを特徴とする光ピックアップ。
【請求項２】
半導体レーザと、
カバーレイヤー厚さ０．１ｍｍの第１の光ディスクに前記半導体レーザ光を集光する第１の対物レンズと、
カバーレイヤー厚さ０．６ｍｍの第２の光ディスクに前記半導体レーザ光を集光する第２の対物レンズと、
前記半導体レーザから出射した光ビームを少なくとも３本の光ビームに回折させる回折格子と、
前記光ビームを前記第１の対物レンズに向かう第１の光ビームと前記第２の対物レンズに向かう第２の光ビームとに分岐するビームスプリッタと、
前記第１の光ディスクを反射した前記第１の光ビームならびに前記第２の光ディスクを反射した前記第２の光ビームを受光する光検出器と、
を備え、
前記第１の対物レンズによって構成される光ディスク側集光光学系に対する前記半導体レーザ側集光光学系の横倍率をＭ１、前記第２の対物レンズによって構成される光ディスク側集光光学系に対する前記半導体レーザ側集光光学系の横倍率をＭ２、前記第１の光ディスクの案内溝ピッチをＴ１、前記第２の光ディスクの案内溝ピッチをＴ２とした場合、
【数２】
2008065920.tif 000009
を満たすことを特徴とする光ピックアップ。
【請求項３】
請求項１又は２記載の光ピックアップにおいて、前記ビームスプリッタはＰＢＳプリズムであることを特徴とする光ピックアップ。
【請求項４】
請求項１乃至３のいずれか記載の光ピックアップにおいて、前記第１の光ディスクまたは前記第２の光ディスクに対するトラッキング誤差信号検出には差動プッシュプル方式を用いることを特徴とする光ピックアップ。
【請求項５】
請求項１乃至４のいずれか記載の光ピックアップにおいて、前記第１の対物レンズと前記第２の対物レンズは同一のレンズホルダに取り付けられていることを特徴とする光ピックアップ。
【請求項６】
請求項５記載の光ピックアップにおいて、前記第１の対物レンズと前記第２の対物レンズは前記光ディスクの半径方向に並んで設置されていることを特徴とする光ピックアップ。
【請求項７】
請求項１乃至６のいずれか記載の光ピックアップと、前記光ピックアップ内の前記半導体レーザを駆動するレーザ駆動回路と、前記光ピックアップ内の前記光検出器から検出された信号を用いてフォーカス誤差信号やトラッキング誤差信号を生成するサーボ信号生成回路と、光ディスクに記録された情報信号を再生する情報信号再生回路とを搭載した光ディスク装置。
【発明の詳細な説明】
【技術分野】
【０００１】
本発明は、光ピックアップおよび光ディスク装置に関する。
【背景技術】
【０００２】
本発明の関連技術としては、たとえば特開２００６−１７２６０５号公報がある。本公報には、「対物レンズの発光素子側に、平行光束の位相を切り換え可能な位相切り換え素子と、該位相切り換え素子で選択された位相に応じて平行光束を通過、発散または収束させるホログラム素子とを配設」することが記載されている。
【０００３】
また、本発明の関連技術としては、たとえば特開２００６−１４７０７５号公報がある。本公報には、「前記光学的情報記録媒体が第１厚を持つ場合は、前記第１光源と前記第１対物レンズを使用し、前記光透過層が第２厚を持つ場合は、前記第１光源と前記第２対物レンズを使用」し、「前記光源と対物レンズの組み合わせが切り替え可能になっていることを特徴とする」と記載がある。
【０００４】
【特許文献１】特開２００６−１７２６０５号公報
【特許文献２】特開２００６−１４７０７５号公報
【発明の開示】
【発明が解決しようとする課題】
【０００５】
年々規模が増え続け大容量化するデジタル情報の再生や記録に対応するため、次世代の高密度光ディスクとして波長４０５ｎｍの青紫色レーザ、開口数（ＮＡ）０．８５の高ＮＡ対物レンズ、カバーレイヤー厚さ０．１ｍｍのディスク媒体を用いたＢＤ（Ｂｌｕ−ｒａｙ Ｄｉｓｃ）規格や、同じく波長４０５ｎｍの青紫色レーザを用い、ＮＡ０．６５、カバーレイヤー厚さ０．６ｍｍのディスク媒体を用いたＨＤ ＤＶＤ（Ｈｉｇｈ Ｄｅｆｉｎｉｔｉｏｎ Ｄｉｇｉｔａｌ Ｖｅｒｓａｔｉｌｅ Ｄｉｓｃ）規格などが提案されている。
【０００６】
ＢＤ規格やＨＤ ＤＶＤ規格を採用したＡＶ用レコーダやプレーヤ、ならびにＰＣ用光ディスクドライブ等の製品は既にメーカ数社から出荷が始まっており、今後、現行ＤＶＤ製品に置き換わって益々市場に普及していくものと予測される。
【０００７】
ところでＢＤ規格とＨＤ ＤＶＤ規格を採用した光ディスク装置が共に普及した場合、市場においてはＢＤとＨＤ ＤＶＤの両方に対応可能な光ディスク装置に対する要求が高まることが予想されるが、今のところ１台の装置でＢＤとＨＤ ＤＶＤ規格両方に対応した光ディスク装置は製品化されていない。今のところ製品化されているのは、ＢＤ／ＤＶＤ／ＣＤの３種類の光ディスクに対応可能な光ディスク装置や、ＨＤ ＤＶＤ／ＤＶＤ／ＣＤの３種類の光ディスクに対応可能な光ディスク装置であり、現行ＤＶＤやＣＤを互換する光ディスク装置はあっても、ＢＤとＨＤ ＤＶＤを共に互換する光ディスク装置は未だ製品化されていない。
【０００８】
ＢＤとＨＤ ＤＶＤの互換可能な光ピックアップを考えた場合、両者は同一波長を使用するにも関わらず、カバーガラスの厚さならびに対物レンズＮＡが大きく異なることが重要な課題となる。特にＢＤのカバーガラスの厚みは０．１ｍｍ、ＨＤ ＤＶＤでは０．６ｍｍと大きく異なるため、この違いに応じた大きな球面収差が発生する不具合が生じる。
【０００９】
このような背景の下、ＢＤとＨＤ ＤＶＤの両方に対応した光ピックアップに関する技術としては大きく分けて以下に示す２つの方式がある。第一には、同一の対物レンズでＢＤとＨＤ ＤＶＤに対応する方式であり、第二には、ＢＤ用対物レンズとＨＤ ＤＶＤ用対物レンズの２つの対物レンズを用いる方式である。
【００１０】
前者の方式は例えば特許文献１（３頁目
【００１１】
段落）に記載されているように、『対物レンズの発光素子側に、平行光束の位相を切り換え可能な位相切り換え素子と、該位相切り換え素子で選択された位相に応じて平行光束を通過、発散または収束させるホログラム素子とを配設』することで球面収差の補正と所望の対物レンズＮＡを実現している。
【００１２】
ここで光ディスク上に集光される光スポット経は波長に比例するため、ＢＤやＨＤ ＤＶＤを記録・再生する際の光スポット経はＤＶＤやＣＤに比べて遥かに小さくなり、光スポットのエネルギー密度は高くなる傾向にある。そのためＢＤやＨＤ ＤＶＤの再生時には情報を消去してしまうのを防ぐ意味で、対物レンズを出射するパワーとしては従来のＤＶＤやＣＤに比べて小さいパワーを光ディスクに照射せざるを得ない。このような状況下において十分な信号のＳＮ比を確保するため、ＢＤやＨＤ ＤＶＤ対応の光ピックアップ光学系においては光利用効率を高める目的でビームスプリッタとしてＰＢＳプリズムを用いるのが一般的である。この場合、半導体レーザを出射して光ディスクに向かう光ビームの偏光方向と光ディスクを反射してＰＢＳプリズムに向かう光ビームの偏光方向を互いに直交させるため、（１／４）λ波長板との組合せが必要となる。しかしながら上記第一の方式を採用した特許文献１では対物レンズの直下に偏光ホログラム素子を用いるため、偏光方向の観点から考えると前述した（１／４）λ波長板との相性が悪い。その結果、前述したホログラム素子において不要な回折光が発生し、光利用効率の低下等が課題となる。
【００１３】
一方、上記第二の方式のようにＢＤ用対物レンズとＨＤ ＤＶＤ用対物レンズの２つの対物レンズを用いる場合は、前述したＰＢＳプリズムならびに（１／４）λ波長板との組合せによる構成と相性が良いため、光利用効率の点で有利となる。上記第二の方式は例えば特許文献２（４頁目
【００１４】
段落）に記載されており、『前記光学的情報記録媒体が第１厚を持つ場合は、前記第１光源と前記第１対物レンズを使用し、前記光透過層が第２厚を持つ場合は、前記第１光源と前記第２対物レンズを使用』し、『前記光源と対物レンズの組み合わせが切り替え可能になっていることを特徴とする』とある。
【００１５】
このように記録または再生する光ディスクに応じて使用する対物レンズを切り替える構成とすることで特許文献１のような偏光ホログラム素子を利用する必要が無く、光利用効率の観点から上第二の方式が有利となる。
【００１６】
ところでＢＤとＨＤ ＤＶＤの互換可能な光ピックアップを考えた場合、前述した光利用効率だけでなく、低価格化について考えることも重要である。前述した上記第二の方式を採用する場合、対物レンズは各々専用の対物レンズを用いるにしても、他の光学部品に関しては出来るだけ共有することが望ましい。このような観点から、半導体レーザはもちろんのこと、サーボ信号検出用光ビームの生成に用いる３ビーム生成用回折格子も共有する事は重要である。ところが回折格子を両者で共有することを考えた場合、新たな課題が発生する。というのもＢＤとＨＤ ＤＶＤはカバーガラスの厚さのみでなく、表１に示すように光ディスクの案内溝のピッチが互いに異なるからである。
【００１７】
【表１】
2008065920.tif 000003
例えばＢＤとＨＤ ＤＶＤ共にトラッキング誤差信号検出方式として差動プッシュプル（ＤＰＰ）方式を用いる場合、安定なトラッキング誤差信号を検出するためには光ディスク上において３ビームの半径方向スポット間隔を案内溝ピッチの２分の１に合わせる必要がある。ところが表１に示すようにＢＤとＨＤ ＤＶＤでは互いに案内溝ピッチが異なるので、共にスポット間隔を案内溝ピッチの２分の１に合わせる事は不可能である。よって例えば特許文献２において６頁目
【００１８】
段落に記載されているように『回折格子機構４では、対象となる光ディスク１に応じて格子の回転、光の進行方向に対しての移動等を行なう。回折格子として印加する電圧によって格子ピッチあるいは格子の角度が変化する液晶素子を用いても構わない。』などの機構が必要となり、回折格子に関わる機構が非常に複雑となってしまう。
【００１９】
本発明は上記課題を鑑みなされたものであり、ＢＤ用対物レンズとＨＤ ＤＶＤ用対物レンズの２つの対物レンズを用いた方式において、サーボ信号を検出する光ビーム生成用回折格子を両者で共有しつつも、回折格子に関わる機構を複雑にすることなく、ＢＤとＨＤ ＤＶＤ共に光ディスク上において３ビームの半径方向スポット間隔を各光ディスクの案内溝ピッチの２分の１に合わせることでＤＰＰ方式を用いた安定なトラッキング誤差信号を検出できる光ピックアップ、ならびに該光ピックアップを用いた光ディスク装置を提供する事を課題とする。
【００２０】
本発明は、ＢＤならびにＨＤ ＤＶＤの両方に対応した光ピックアップ、この光ピックアップを搭載した光ディスク装置を提供することを目的とする。
【課題を解決するための手段】
【００２１】
上記目的は、その一例として特許請求の範囲に記載の構成により達成できる。
【発明の効果】
【００２２】
本発明によれば、ＢＤならびにＨＤ ＤＶＤの両方に対応した光ピックアップ、この光ピックアップを搭載した光ディスク装置を提供することが可能となる。
【発明を実施するための最良の形態】
【００２３】
本発明を実施するための実施の形態について、以下説明する。
【実施例１】
【００２４】
図１は本発明における光ピックアップに関する実施例を示したものである。
【００２５】
本実施例の光ピックアップは、３ビームを用いたサーボ信号検出方式に従う光ピックアップであり、図１に示すように、波長λの光ビームを出射する半導体レーザ１と、光ビームを回折させてサーボ信号検出用光ビームを生成する回折格子２と、光ビームを光ディスク１００ａ上に集光する対物レンズ７ａと、光ビームを光ディスク１００ｂ上に集光する対物レンズ７ｂと、光ディスクを反射した光ビームを検出する光検出器９とを主に備える。
【００２６】
半導体レーザ１を出射した波長λの光ビームは３ビーム生成用の回折格子２によって少なくとも３本の光ビームに回折されて偏光方向変換素子３に入射する。偏光方向変換素子３は入射した光ビームの偏光方向を変えることで、出射後のＰ偏光成分とＳ偏光成分の割合を制御できる事を特徴とする素子である。またビームスプリッタ４は、例えばＰＢＳプリズムのように透過・反射率に対して偏光選択性を有している。よって例えば偏光方向変換素子３を出射した光ビームの偏光がＳ偏光の場合はビームスプリッタ４を反射し対物レンズ７ａの光路へと導かれ、また偏光方向変換素子３を出射した光ビームの偏光がＰ偏光の場合はビームスプリッタ４を透過し対物レンズ７ｂの光路へと導くことが出来る。すなわち偏光方向変換素子３とビームスプリッタ４の組合せによって、光路を切り替えることが出来る。
【００２７】
光ディスク１００ａを再生または記録する場合は偏光方向変換素子３を出射した光ビームがビームスプリッタ４を反射するように、偏光方向変換素子３を用いて偏光方向変換素子３出射後の偏光方向を事前に制御する。ビームスプリッタ４を反射した光ビームはコリメートレンズ６ａによって略平行光となり、（１／４）λ波長板１０ａによって円偏光の状態で対物レンズ７ａに入射し、光ディスク１００ａの情報記録面上に集光される。
【００２８】
光ディスク１００ａで反射した光ビームは往路と逆の経路をたどって対物レンズ７ａ、（１／４）λ波長板１０ａ、コリメートレンズ６ａを経てビームスプリッタ４を透過する。ビームスプリッタ４を透過した光ビームは検出レンズ８によって非点収差方式によるフォーカス誤差信号を検出できるような非点収差を付加され、光検出器９に集光する構成となっている。
【００２９】
同様に光ディスク１００ｂを再生または記録する場合は偏光方向変換素子３を出射した光ビームがビームスプリッタ４を透過するように、偏光方向変換素子３を用いて偏光方向変換素子３出射後の偏光方向を事前に制御する。ビームスプリッタ４を透過した光ビームは反射ミラー５を反射し、コリメートレンズ６ｂによって略平行光となり、（１／４）λ波長板１０ｂによって円偏光の状態で対物レンズ７ｂに入射し、光ディスク１００ｂの情報記録面上に集光される。
【００３０】
光ディスク１００ｂで反射した光ビームは往路と逆の経路をたどって対物レンズ７ｂ、（１／４）λ波長板１０ｂ、コリメートレンズ６ｂ、反射ミラー５を経てビームスプリッタ４を反射する。ビームスプリッタ４を反射した光ビームは検出レンズ８によって非点収差方式によるフォーカス誤差信号を検出できるような非点収差を付加され、光検出器９に集光する構成となっている。
【００３１】
本実施例において特徴としているのは、光ディスク１００ａならび１００ｂ上において、回折格子２によって生成される３ビームのスポット間隔が互いに異なり、かつその違いは光ディスクの案内溝ピッチに依存していることである。本特徴について、図２を用いて具体的に説明する。
【００３２】
図２は光ディスク１００ａおよび１００ｂ上における３ビームのスポット配置を示した概略図であり、案内溝ピッチは図２（ａ）に示すＴ１に比べて図２（ｂ）に示すＴ２の方が広い設定としている。前述（表１）したようにＢＤに比べてＨＤ ＤＶＤの案内溝ピッチは広いため、例えば図２（ａ）はＢＤ−Ｒ／ＲＥ上のスポット配置を、また図２（ｂ）はＨＤ ＤＶＤ−Ｒ／ＲＷ上のスポット配置を示していることに相当する。以下においては、例えば光ディスク１００ａがＢＤ−Ｒ／ＲＥを示し、光ディスク１００ｂがＨＤ ＤＶＤ−Ｒ／ＲＷを示すものとして説明を続ける。
【００３３】
図２に示すように光ディスク１００ａ上における３スポットの傾きをθ１、光ディスク１００ｂ上における３スポットの傾きをθ２とした場合、本実施例では回折格子２を共有しているため、通常、θ１＝θ２＝θとなる。
【００３４】
このような状況下のもとＤＰＰ方式を適用する場合は、光ディスク１００ａおよび光ディスク１００ｂ上において半径方向のスポット間隔Ｗ１およびＷ２を各々、案内溝ピッチの２分の１とすれば良いので、
Ｗ１＝Ｓ１・ｓｉｎθ＝Ｔ１／２
Ｗ２＝Ｓ２・ｓｉｎθ＝Ｔ２／２  となり、
Ｓ２／Ｓ１＝Ｔ２／Ｔ１    となる。
【００３５】
なおＳ１、Ｓ２が各々、案内溝ピッチの２分の１からずれた場合は、ずれ量に応じてＤＰＰ信号振幅が低減するため、ずれの許容量はＤＰＰ信号振幅の減少量の観点からの検討が必要となる。
【００３６】
図３はＤＰＰ信号振幅とディスク上サブスポット位置ずれ量ΔＷとの関係を示した概略図である。グラフからわかるように、半径方向のスポット間隔が案内溝ピッチの２分の１の場合が最もＤＰＰ信号振幅が大きくなり、ずれ量ΔＷに応じて信号振幅が減少する。サーボ制御の観点からは、ＤＰＰ信号振幅は１０％程度減少しても十分制御可能であるため、図３から判断して、ずれ量ΔＷの許容量を案内溝ピッチの０．１倍とすると、
Ｗ１＝Ｓ１・ｓｉｎθ＝Ｔ１／２±０．２・Ｔ１＝（０．５±０．１）・Ｔ１
Ｗ２＝Ｓ２・ｓｉｎθ＝Ｔ２／２±０．２・Ｔ２＝（０．５±０．１）・Ｔ２
よってＳ２／Ｓ１が満たす範囲は、上記を考慮すると数１となる。
【００３７】
【数１】
2008065920.tif 000004
ここで一般に、スポット間隔Ｓ１に対するＳ２の関係は、ＢＤ光学系に対するＨＤ ＤＶＤ光学系の横倍率の関係によって決まるため、結局のところ各々の光学系の横倍率を所望の関係に設定すれば良い。
【００３８】
光学系の横倍率の定義に関しては、既に一般的なものであるため詳細な説明は省略するが、本実施例において光ディスク側集光光学系に対する半導体レーザ側集光光学系の横倍率Ｍの定義は、例えば光ディスク上における３ビームのスポット間隔をＳとし、光ディスク上における３ビームのスポットを半導体レーザの発光点上に投影した際の３ビームのスポット間隔をＨとした場合、数３で定義されるものである。
【００３９】
【数３】
2008065920.tif 000005
つまり対物レンズ７ａによって構成される光ディスク側集光光学系に対する半導体レーザ側集光光学系の横倍率Ｍ１は図４に示すようにＳ１ならびにＨ１を用いてＭ１＝Ｈ１／Ｓ１となる。また図には示さないが、対物レンズ７ｂによって構成される光ディスク側集光光学系に対する半導体レーザ側集光光学系の横倍率Ｍ２も同様にして算出することが出来る。
【００４０】
本実施例においてはＢＤ光学系とＨＤ ＤＶＤ光学系において半導体レーザ１と回折格子２を共有しているため、光ディスク上における３ビームのスポットを半導体レーザの発光点上に投影した際の３ビームのスポット間隔は両者において同じ値となる。よってスポット間隔Ｓ１に対するＳ２の関係は横倍率Ｍ１、Ｍ２を用いて数４に示す関係となる。
【００４１】
【数４】
2008065920.tif 000006
つまり数１と数４から数２の関係を導くことができる。
【００４２】
【数２】
2008065920.tif 000007
本実施例ではＢＤ光学系とＨＤ ＤＶＤ光学系の横倍率Ｍ１、Ｍ２が数２の関係を有することを特徴としている。
【００４３】
ところで本実施例では図５に示すように、例えば対物レンズ７ａおよび対物レンズ７ｂは同一のレンズホルダ５０に取り付けられていることを特徴としている。また対物レンズ７ａと対物レンズ７ｂは再生・記録を行なう光ディスク１００に対して、その半径方向に並んで設置されていることを特徴としている。このように対物レンズを配置することによって、光ディスクの内周、外周に光ピックアップが走査した場合においても、対物レンズ中心位置における光ディスクの接線方向を常に同一の方向に保つことが出来る。
【実施例２】
【００４４】
本発明の光ピックアップ装置を搭載した光ディスク装置に関する実施例を図６に示す。符号７０は例えば図１に示すような構成を有する光ピックアップである。なお光ピックアップ７０には光ディスク１００の半径方向に位置をスライドできる機構が設けられており、アクセス制御回路７２からのアクセス制御信号に応じて位置制御がおこなわれる。
【００４５】
レーザ駆動回路７７からは所定のレーザ駆動電流が光ピックアップ装置７０内の半導体レーザに供給され、再生または記録に応じて所定の光量でレーザ光が出射する。なおレーザ駆動回路７７は光ピックアップ７０の中に組み込まれていても良い。
【００４６】
光ピックアップ７０内の光検出器から検出された信号は、サーボ信号生成回路７４及び情報信号再生回路７５に送られる。サーボ信号生成回路７４では、これら検出信号からフォーカスエラー信号やトラッキングエラー信号が生成され、これを基にアクチュエータ駆動回路７３を経て光ピックアップ７０内のアクチュエータを駆動することによって対物レンズの位置制御がおこなわれる。
【００４７】
また情報信号再生回路７５では前記検出信号から光ディスク１００に記録された情報信号が再生される。なお前記サーボ信号生成回路７４及び情報信号再生回路７５で得られた信号の一部はコントロール回路７６に送られる。このコントロール回路７６にはレーザ駆動回路７７、アクセス制御回路７２、アクチュエータ駆動回路７３、スピンドルモータ駆動回路７１などが接続されており、それぞれ光ピックアップ７０内の半導体レーザ発光光量の制御、アクセス方向および位置の制御、光ディスク１００を回転させるスピンドルモータ６０の回転制御等が行われる。
【図面の簡単な説明】
【００４８】
【図１】本発明における光ピックアップの光学系構成を示した図
【図２】光ディスク上における３ビームのスポット配置を示した図
【図３】ＤＰＰ信号振幅とディスク上サブスポット位置ずれ量ΔＷとの関係を示した概略図
【図４】光学系の横倍率を示す概略図
【図５】対物レンズ７ａと７ｂの配置を示す概略図
【図６】本発明における光ディスク装置を示した図
【符号の説明】
【００４９】
１・・・半導体レーザ、２・・・回折格子、３・・・偏光方向変換素子、
４・・・ビームスプリッタ、５・・・反射ミラー、６ａ，６ｂ・・・コリメートレンズ、
７ａ，７ｂ・・・対物レンズ、８・・・検出レンズ、９・・・光検出器、
１０ａ，１０ｂ・・・（１／４）λ波長板、
２０・・・半導体レーザの発光点、２１，２２・・・３１，３２の投影点、
３０，３１，３２・・・光ディスク上における３ビームのスポット位置、
５０・・・レンズホルダ、６０・・・スピンドルモータ、７０・・・光ピックアップ、
７１・・・スピンドルモータ駆動回路、７２・・・アクセス制御回路、
７３・・・アクチュエータ駆動回路、７４・・・サーボ信号生成回路、
７５・・・情報信号再生回路、７６・・・コントロール回路、７７・・・レーザ駆動回路、
１００，１００ａ，１００ｂ・・・光ディスク、
【図１】
2008065920.tif 000010
【図２】
2008065920.tif 000011
【図３】
2008065920.tif 000012
【図４】
2008065920.tif 000013
【図５】
2008065920.tif 000014
【図６】
2008065920.tif 000015